(57)【要約】【課題】雨筋汚れをより目立たなくしつつ、天板の水の排水性を高めることができる空気調和機の室外機を提供する。【解決手段】前面に排気口６、背面に吸込口７が配置された略直方体のケーシング２を有する空気調和機の室外機１において、ケーシング２の上部外板を形成し、背面側が前面側よりも低くなるように傾斜配置された天板１０と、天板１０に、その前面側から背面側に渡って凹設された排水溝１２とを備えるように構成する。さらに排水溝１２が、その溝底が天板１０の近傍に位置する内蔵部品１５，２１に対向する位置に配設されているようにすればより好ましい。【選択図】図２
2009138950.tif 000002
【特許請求の範囲】
【請求項１】
前面に排気口、背面に吸込口が配置された略直方体のケーシングを有する空気調和機の室外機において、
上記ケーシングの上部外板を形成し、背面側が前面側よりも低くなるように傾斜配置された天板と、
上記天板に、該天板の前面側から背面側に渡って凹設された排水溝とを備えることを特徴とする空気調和機の室外機。
【請求項２】
上記排水溝は、その溝底が、上記天板の近傍に位置する上記室外機の内蔵部品に対向する位置に配設されていることを特徴とする請求項１記載の空気調和機の室外機。
【請求項３】
上記内蔵部品は、上記ケーシング内に立設されて該ケーシングの内部を送風機室と機械室とに仕切る仕切板であって、
上記排水溝は、平面視で上記仕切板に重複するように設けられていることを特徴とする請求項２記載の空気調和機の室外機。
【請求項４】
上記内蔵部品は、その上部が上記天板の近傍に位置するように上記ケーシング内に設けられ、上端に角部を有する構造体であって、
上記排水溝は、平面視で上記構造体の上記角部を通るように設けられていることを特徴とする請求項２記載の空気調和機の室外機。
【請求項５】
外気を上記吸込口から上記排気口に送るファンと、
上記ファンを駆動するモータとを備え、
上記構造体は上記モータを支持するモータ台であることを特徴とする請求項４記載の空気調和機の室外機。
【発明の詳細な説明】
【技術分野】
【０００１】
本発明は、空気調和機の室外機に関し、特にその天板に設けられた排水溝に関する。
【背景技術】
【０００２】
従来、空気調和機の室外機として、前面に排気口、背面に吸込口が配置された略直方体のケーシングを有するものが知られている。ケーシングはその上面に略水平板状の天板を有する。
【０００３】
室外に設置される室外機には雨水や散水等（以下これらを総称して「水」という）が降りかかる場合があるが、ケーシングの天板が水平かつ面一であると、天板に水が溜り易い。水が溜まると錆の原因となるから好ましくない。そこで例えば特許文献１のように、天板に降りかかった水を側面に導く排水溝を天板に設けた室外機が知られている。このような排水溝を設けると、天板の水は排水溝に導かれてケーシングの側面を伝い落ち易くなる。つまり排水性が向上する。
【０００４】
また、一般的に汚れを含んだ水が伝い落ちる壁面には黒い筋状の汚れ（いわゆる雨筋汚れ）が付着し易い。室外機のケーシングの側面、特に前面にこの雨筋汚れが付着すると見栄えが悪くなるので好ましくない。一般的な室外機の設置形態として、前面が最も目立つ面だからである。
【０００５】
これに関して特許文献１の室外機は、その排水溝が左右方向に延設されている。そのため天板の水は左右側面に導かれ易くなる、つまり前面には伝い落ち難くなる。このように、排水性を高めながらもケーシングの前面に雨筋汚れが付着することを抑制することができる。
【特許文献１】特開平８−２２６６７５号公報
【発明の開示】
【発明が解決しようとする課題】
【０００６】
しかしながら特許文献１の室外機は、排水溝のないものよりは排水性が向上されているものの、必ずしも充分な排水性を有しているものではなかった。
【０００７】
例えば、天板の排水溝以外の部分（突出面）に降りかかった水は、それを排水溝に積極的に導くようになっていないので、そのまま突出面に滞留し続ける虞がある。また排水溝に導かれた水も、必ずしも排水溝に沿って流れるとは限らず、排水溝内で滞留し続ける虞がある。
【０００８】
また特許文献１の室外機は、前面には雨筋汚れが付着しにくくなっているものの、左右側面には付着し易い。室外機の一般的な設置形態は家屋等の壁面に沿った設置である。その場合、ケーシングの背面が家屋等の壁面に対向するように配置される。従って背面側は壁面に隠されて目立たず、逆に前面が最も目立つ面となる。面左右側面は前面ほどではないが設置状態によっては前面に近い程度に目立つ場合もある。そのような場合、左右側面に雨筋汚れが付着すると見栄えの悪化は免れない。
【０００９】
本発明は上記事情に鑑み、雨筋汚れをより目立たなくしつつ、天板の水の排水性を高めることができる空気調和機の室外機を提供することを目的とする。
【課題を解決するための手段】
【００１０】
上記課題を解決するため、本発明の請求項１は、前面に排気口、背面に吸込口が配置された略直方体のケーシングを有する空気調和機の室外機において、上記ケーシングの上部外板を形成し、背面側が前面側よりも低くなるように傾斜配置された天板と、上記天板に、該天板の前面側から背面側に渡って凹設された排水溝とを備えることを特徴とする。
【００１１】
請求項２に係る発明は、請求項１記載の空気調和機の室外機において、上記排水溝は、その溝底が、上記天板の近傍に位置する上記室外機の内蔵部品に対向する位置に配設されていることを特徴とする。
【００１２】
請求項３に係る発明は、請求項２記載の空気調和機の室外機において、上記内蔵部品は、上記ケーシング内に立設されて該ケーシングの内部を送風機室と機械室とに仕切る仕切板であって、上記排水溝は、平面視で上記仕切板に重複するように設けられていることを特徴とする。
【００１３】
請求項４に係る発明は、請求項２記載の空気調和機の室外機において、上記内蔵部品は、その上部が上記天板の近傍に位置するように上記ケーシング内に設けられ、上端に角部を有する構造体であって、上記排水溝は、平面視で上記構造体の上記角部を通るように設けられていることを特徴とする。
【００１４】
請求項５に係る発明は、請求項４記載の空気調和機の室外機において、外気を上記吸込口から上記排気口に送るファンと、上記ファンを駆動するモータとを備え、上記構造体は上記モータを支持するモータ台であることを特徴とする。
【発明の効果】
【００１５】
請求項１の発明によると、以下説明するように、雨筋汚れをより目立たなくしつつ、天板の水の排水性を高めることができる。
【００１６】
本発明の構成では、天板が、前面側よりも背面側の方が低くなるように傾斜配置されている。従って天板に降りかかった水は重力によって強制的に背面側に流れ落ちる。しかも天板には前面側から背面側に渡って凹設された排水溝が設けられているので、水は排水溝に沿ってより背面側に流れ易い。このように積極的に水を背面側に流す手段が講じられているので従来の天板よりも一層排水性が向上している。
【００１７】
しかも、排水された水が背面を伝い落ちるので、見栄え上好ましくない雨筋汚れはケーシングの背面に付着し易くなるところ、この背面は多くの場合、設置壁面によって隠されるので汚れが目立たない。また、背面には吸込口が設けられているが、一般的に吸込口は大きな開口部となっており、水が伝い落ちる箇所（面積）が少ないことも雨筋汚れの付着防止に有利となる。
【００１８】
請求項２の発明によると、以下説明するように、排水溝の有する付加的な効果を機械室内の内蔵部品に及ぼすことができる。その付加的な効果として、例えば隙間削減効果や剛性向上効果等が挙げられる。
【００１９】
隙間削減効果とは、排水溝の溝底が天板の他の部分（突出面）よりも低位であることにより、一定の高さを有する内蔵部品に対して（高さ方向の）隙間が狭くなるという効果である。例えば天板との隙間が小さいことが好ましい内蔵部品がある場合、その内蔵部品に対向する位置に排水溝を配設することにより、有利な隙間削減効果を得ることができる。
【００２０】
剛性向上効果とは、通常コ字状或いはＵ字状断面を有する排水溝が補強リブとして作用し、剛性が高められるという効果である。例えば天板の上に人や物が乗ることによる荷重（以下垂直荷重という）による天板の変形を剛性向上効果によって抑制することができる。
【００２１】
或いは、垂直荷重による天板の変形により、天板に近接配置された内蔵部品と天板との干渉が懸念される場合、その内蔵部品に対向する位置に排水溝を配設することにより、内蔵部品と天板との干渉による局部的な天板の変形を剛性向上効果によって抑制することができる。またその局部的な変形が生じた場合、それは排水溝の溝底にできるので目立ち難いという利点もある。
【００２２】
請求項３の発明によると、具体的に仕切板という内蔵部品に対し、上記隙間低減効果と上記剛性向上効果を効果的に得ることができる。
【００２３】
仕切り板は熱交換器やファンが設けられた送風機室と、圧縮機や制御ユニット（電装品）等が設けられた機械室とを仕切る板である。制御ユニットは水を嫌うため、仕切板には、風雨時に送風機室内に侵入した雨水などが機械室に侵入することを阻止することが求められる。この防水上の理由により、仕切板の上縁と天板との隙間は狭い方が好ましい。従って、平面視で仕切板に重複するように排水溝を配設することにより、防水上好ましい狭い隙間を得ることができる（隙間削減効果）。なお、重複範囲は仕切範囲の一部であっても一定の効果が得られるが、仕切範囲の全域に亘って重複させるのがより望ましい。
【００２４】
さらに、仕切板が天板（排水溝）に近接配置されるので、垂直荷重による天板の変形により仕切板と天板との干渉が懸念されるところ、その干渉による局部的な天板の変形を上記剛性向上効果によって抑制することができる。またその局部的な変形が生じた場合、それは重複配置された排水溝の溝底にできるので目立ち難い。
【００２５】
請求項４の発明によると、上記内蔵部品が、上端に角部を有する構造体である場合に、特に有利な上記剛性向上効果を得ることができる。
【００２６】
上記構造体が天板の近傍に設けられていると、垂直荷重による天板と構造体との干渉により、特に構造体の角部に当たる天板にツノ状の突起（以下ツノ状突起という）が生じ易い。これは見栄え上好ましくない。本発明によれば、上記剛性向上効果によってツノ状突起の生成が抑制される。またそのツノ状突起が生じた場合、それは排水溝の溝底にできるので目立ち難い。
【００２７】
請求項５の発明によると、上記構造体がモータ台である場合において、モータ台の角部に生じ易い上記ツノ状突起の生成が上記剛性向上効果によって抑制され、また目立ち難い。
【発明を実施するための最良の形態】
【００２８】
以下、添付図面を参照しつつ本発明の好ましい実施の形態について説明する。図１は本発明に係る空気調和機の室外機（以下室外機１という）のケーシング２の斜視図である。室外機１は空調室外に設けられ、空調室内に設けられた図外の室内機とともに空気調和機を構成する。その室内機と室外機１とは図外の冷媒連絡配管を介して接続されている。
【００２９】
室外機１はいわゆるトランク型であって、略直方体のケーシング２を備える。ケーシング２は、ケーシング２の底面を構成する底板９と、ケーシング２の側面を構成する前板３ａ、右前板３ｂ及び側板３ｃと、ケーシング２の上面を構成する天板１０とを主な構成要素とする。
【００３０】
なお以下の記述で、天板１０側を上、後述の排気口６が設けられている面側を前、前面に向かって右側を右とする。それぞれの対面側を下、後（または背）、左という。
【００３１】
ここで室外機１の設置形態について言及する。室外機１は雨水や散水等の降りかかる虞のある野外に設置される。また室外機１は家屋等の壁面に沿って設置され、ケーシング２の背面がその壁面に対向するように設置される。このような設置形態は最も一般的な設置形態であるとともに、本実施形態の天板１０による作用効果が最も顕著に得られる設置形態でもある。但しそれに限定する趣旨ではない。
【００３２】
ケーシング２の構成として、前板３ａは、ケーシング２の左前面と左側面を構成する。前板３ａの前面部には排気口６が設けられ、排気グリル６ａでカバーされている。右前板３ｂは、ケーシング２の右前面と右側面の一部（前側）を構成する。右前板３ｂは比較的容易に着脱可能とされ、これを取外すと内部は後述する機械室１７となっている。側板３ｃは、ケーシング２の右側面（残部）と背面の一部（右側）を構成する。なお背面の残部は吸込口７（図２、図３参照）となっており、吸込グリル７ａでカバーされている。
【００３３】
そしてケーシング２の上面には天板１０が設けられているが、本実施形態において天板１０は特別な技術的特徴を有する。以下天板１０の構造を中心に説明する。
【００３４】
図２は室外機１の平面図、図３は同右側面図である。また図４は図２のIV−IV線断面図である。図４では図を見易くするために天板１０及び仕切板１５の板厚を誇張して（実際よりも厚く）示している。図３に示すように、天板１０の天面は背面側が前面側よりも低くなるように全体的に傾斜している。図３では見易くするために傾斜度合を誇張して示しているが、実際には２°程度の傾斜角である。
【００３５】
図２に示すように天板１０の天面には排水溝１２が凹設されている。排水溝１２は、天板１０の天面の前後左右を縁取るように形成された前溝１２ａ、後溝１２ｂ及び側溝１２ｃ，１２ｃと、同天面の中央部に設けられて前面側から背面側に渡って延びる中間溝１２ｄ，１２ｅ，１２ｆ，１２ｇ，１２ｈ，１２ｊとからなる。
【００３６】
中間溝１２ｄは、前溝１２ａと後溝１２ｂとを繋ぐように、平面視で湾曲しつつ前後方向に延びる溝である。中間溝１２ｆ，１２ｈは、天板１０の左右略中央に、側溝１２ｃと略平行に設けられた溝であって、その前側約２／３の部分が中間溝１２ｆであり、残部後側が中間溝１２ｈである。中間溝１２ｅは、天板１０の右前端側から中間溝１２ｆと中間溝１２ｈとの接続部分に渡って中間溝１２ｄを横切って斜めに延びる溝である。中間溝１２ｇは、天板１０の左前端側から中間溝１２ｆと中間溝１２ｈとの接続部分に渡って斜めに延びる溝である。中間溝１２ｊは、中間溝１２ｇの中央付近から後側に分岐して中間溝１２ｆと略平行に延びる溝である。
【００３７】
図２及び図４に示すように、ケーシング２の内部には内蔵部品のひとつとして仕切板１５が設けられている。仕切板１５は底板９から天板１０に亘って立設された薄板状部材である。また仕切板１５は、前面（前板３ａと右前板３ｂとの継目部）と背面（側板３ｃの背面側端部）とを平面視で湾曲しつつ繋ぐ。こうして仕切板１５は、ケーシング２の内部を左側の送風機室１６と右側の機械室１７とに仕切る。
【００３８】
図２及び図４に示すように、中間溝１２ｄは平面視で仕切板１５の大部分と重複して配設されている。中間溝１２ｄの前後の前溝１２ａ及び後溝１２ｂと接続された部分において中間溝１２ｄの延長部分も中間溝１２ｄに含まれると見なせば、中間溝１２ｄは仕切板１５の全域に亘って重複しているとも言える。そして図４に示すように、その重複部分において仕切板１５の上縁と中間溝１２ｄの溝底とが当接している（可及的に小さな隙間で対向配置されるようにしても良い）。
【００３９】
図５はケーシング２の送風機室１６を斜め左前方から見た斜視図である。また図６は図２のVI−VI線断面図、図７は同VII−VII線断面図である。
【００４０】
図２および図５に示すように、送風機室１６には熱交換器８が設けられている。熱交換器８は、吸込口７に沿って背面寄りに設けられている。またその左端は前側に折り曲げられ、左側面に沿って延びている。吸込口７から吸込まれた空気が熱交換器８に当たり、縦に列設された図略のフィンを介して、熱交換器８の内部を流れる冷媒と熱交換を行うように構成されている。なお前板３ａの左側面にも図略の補助的な吸込口が設けられており、空気はその吸込口からも導入される。
【００４１】
熱交換器８（の吸込口７に沿う部分）と排気口６との間にファン２４（図５に二点鎖線で示す）が設けられている。またファン２４を駆動するモータ２３が設けられている。ファン２４はモータ２３で回転駆動されることにより吸込口７から排気口６に吹き抜ける空気の流れを生成させる。これによって熱交換器８と空気との効率的な熱交換が持続的に行われる。
【００４２】
モータ２３はモータ取付板２２を介してモータ台２１（内蔵部品、構造体）に取付けられている。モータ台２１は底板９から立設されたコ字状断面を有する２本の柱状部材からなる。モータ台２１はその上端側がＬ字状に後方に折り曲げられ、熱交換器８の上縁も支持している。モータ台２１の折り曲げ部は角部２１ａとなっている。
【００４３】
図２及び図６、図７に示すように、モータ台２１の上端は天板１０の近傍に位置し、その角部２１ａは平面視で中間溝１２ｈ，１２ｊの溝底に対向する位置に設けられている。
【００４４】
一方、特に図示しないが仕切板１５の右側の機械室１７には、圧縮機や制御ユニット等の機械や電気機器が配置されている。
【００４５】
以上説明したように、本実施形態のケーシング２は、天板１０が、その前面側よりも背面側の方が低くなるように傾斜配置されているので、天板１０に降りかかった水は重力によって強制的に背面側に流れ落ちる。しかも天板１０には前面側から背面側に渡って凹設された排水溝１２（特に側溝１２ｃと中間溝１２ｄ，１２ｅ，１２ｆ，１２ｇ，１２ｈ，１２ｊ）が設けられているので、水は排水溝１２に沿ってより背面側に流れ易い（図２に矢印で示す）。このように積極的に水を背面側に流す手段が講じられているので従来の天板よりも一層排水性が向上している。そして水が天板１０上に滞留して錆が発生することが効果的に防止される。
【００４６】
しかも、排水された水が背面を伝い落ちるので、雨筋汚れはケーシング２の背面に付着し易くなるところ、この背面は上記一般的な設置形態において設置壁面に隠されるので汚れが目立たない。また、背面には吸込口７が設けられているが、この吸込口７は大きな開口部となっており、水が伝い落ちる箇所（面積）が少ないことも雨筋汚れの付着防止に有利となっている。
【００４７】
さらに排水溝１２の付加的な効果として、隙間削減効果や剛性向上効果等が得られる。隙間削減効果とは、排水溝１２の溝底が突出面１１よりも低位であることにより、一定の高さを有する内蔵部品に対して（高さ方向の）隙間が狭くなるという効果である。例えば天板１０との隙間が小さいことが好ましい内蔵部品がある場合、その内蔵部品に対向する位置に排水溝１２を配設することにより、有利な隙間削減効果を得ることができる。
【００４８】
剛性向上効果とは、図４や図６に示すようにコ字状断面の排水溝１２が補強リブとして作用し、剛性が高められるという効果である。例えば垂直荷重による天板１０の変形を剛性向上効果によって抑制することができる。
【００４９】
或いは、垂直荷重による天板１０の変形により、天板１０に近接配置された内蔵部品と天板１０との干渉が懸念される場合、その内蔵部品に対向する位置に排水溝１２を配設することにより、内蔵部品と天板１０との干渉による局部的な天板１０の変形を剛性向上効果によって抑制することができる。またその局部的な変形が生じた場合、それは排水溝１２の溝底にできるので目立ち難い。
【００５０】
本実施形態において上記内蔵部品の代表例は仕切板１５およびモータ台２１である。
【００５１】
仕切板１５は上述のように送風機室１６と機械室１７とを仕切るが、機械室１７に配置された制御ユニットは水を嫌うため、仕切板１５には、風雨時に送風機室１６内に侵入した雨水などが機械室１７に侵入することを阻止することが求められる。この防水上の理由により、仕切板１５の上縁と天板１０との隙間は狭い方が好ましい。本実施形態では、図２及び図４に示すように、平面視で仕切板１５に重複するように中間溝１２ｄが配設されているので、防水上好ましい狭い隙間を得ることができる（隙間削減効果）。
【００５２】
さらに、仕切板１５が中間溝１２ｄの溝底に近接配置されているので、垂直荷重による天板１０の変形により仕切板１５と天板１０との干渉が懸念されるが、その干渉による局部的な天板１０の変形を上記剛性向上効果によって抑制することができる。またその局部的な変形が生じた場合、それは中間溝１２ｄの溝底にできるので目立ち難い。
【００５３】
またモータ台２１は、その上端が天板１０に近接配置されている。天板１０に垂直荷重が作用すると天板１０とモータ台２１との干渉が懸念される。その干渉が起こったとき、特にモータ台２１の角部２１ａに当たる天板１０にツノ状突起が生じ易い。本実施形態では、角部２１ａに対向する位置に中間溝１２ｈ，１２ｊが配設されているので、上記剛性向上効果によってツノ状突起の生成が抑制され、またそのツノ状突起が生じた場合、それは中間溝１２ｈ，１２ｊの溝底にできるので目立ち難い。
【００５４】
以上、本発明の実施形態について説明したが、本発明は上記実施形態に限定するものではなく、特許請求の範囲内で適宜変更が可能である。
【００５５】
例えば、天板１０の傾斜角度は２°前後に限定するものではなく、それより大きくても良い。また重力による背面側への水の流れを生成できる範囲でそれより小さな傾斜角度としても良い。
【００５６】
排水溝１２は、天板１０の前面側から背面側に渡って凹設されたものであれば良く、その形状（幅や深さ）や数は適宜設定して良い。
【００５７】
内蔵部品としての上記仕切板１５やモータ台２１はその一例であって、他の内蔵部品に対して上記隙間削減効果や剛性向上効果（或いは他の付加的な効果）が得られる場合には、その内蔵部品に対向する位置に排水溝１２を適宜配設しても良い。
【図面の簡単な説明】
【００５８】
【図１】本発明に係る空気調和機の室外機のケーシングの斜視図である。
【図２】上記室外機の平面図である。
【図３】上記室外機の右側面図である。
【図４】図２のIV−IV線断面図である。
【図５】上記ケーシングの送風機室を斜め左前方から見た斜視図である。
【図６】図２のVI−VI線断面図である。
【図７】図２のVII−VII線断面図である。
【符号の説明】
【００５９】
１        空気調和機の室外機
２        ケーシング
６        排気口
７        吸込口
１０      天板
１２      排水溝
１５      仕切板（内蔵部品）
１６      送風機室
１７      機械室
２１      モータ台（内蔵部品、構造体）
２１ａ    角部
２３      モータ
２４      ファン
【図１】
2009138950.tif 000003
【図２】
2009138950.tif 000004
【図３】
2009138950.tif 000005
【図４】
2009138950.tif 000006
【図５】
2009138950.tif 000007
【図６】
2009138950.tif 000008
【図７】
2009138950.tif 000009